(57)【要約】      （修正有）【課題】製造コストを下げることができる自動紙送り機トランスミッション機構の構造を提供する。【解決手段】主に動力装置、ピックアップローラーセットを含み、動力装置はモーター及び若干の歯車を具有する。動力装置にある歯車は給紙動力歯車と互いに嵌合し、給紙動力歯車の上に給紙伝動軸を設ける。給紙伝動軸の上に、給紙原車、給紙原車とあわせる給紙従車を設置し、給紙従車は従車ジャーナルを具有する。ピックアップローラーセットは分紙ローラーを含み、該分紙ローラーは分紙ローラージャーナルを具有する。給紙従車の従車ジャーナルと、分紙ローラーの分紙ローラージャーナルの上にトランスミッションベルトを通す。【選択図】図５
0003137008.tif 000002
【実用新案登録請求の範囲】
【請求項１】
機体、動力装置、給紙ローラーセット、給紙伝動軸、ピックアップローラーセット、トランスミッションベルトを含み、
該動力装置は機体に設置し、モーター及び若干の歯車を含み、及び、
該給紙ローラーセットは機体に設置し、給紙原車及び、給紙原車と組み合わせる給紙従車を含み、給紙従車は従車ジャーナルを具有し、及び、
該給紙伝動軸は機体に設置し、該給紙伝動軸は給紙原車と一緒に設置し、及び
該給紙伝動軸の末端に給紙動力歯車を設置し、給紙動力歯車と動力装置の一つの歯車と組み合わせ、及び、
該ピックアップローラーセットは機体に設置し、分紙ローラーを含み、該ピックアップローラーは分紙ローラージャーナルを具有し、及び、
該トランスミッションベルトは給紙従車の従車ジャーナル及び分紙ローラーの分紙ローラージャーナルに通すことを特徴とする自動紙送りトランスミッション機構。
【請求項２】
前記トランスミッションベルトは歯型のベルトであり、給紙従車の従車ジャーナルにトランスミッションギアを設け、分紙ローラーの分紙ローラージャーナルの上にもトランスミッションギアを設けることを特徴とする請求項1記載の自動紙送り器トランスミッション機構。
【請求項３】
前記ピックアップローラーセットはピックアップ骨組みを含み、該骨組みの左右両側に骨組みの軸を設け、骨組みの軸と分紙ローラーは同じ軸を共有し、ピックアップローラーセットは該骨組みの軸を介し、機体に設置することを特徴とする請求項1記載の自動紙送り器トランスミッション機構。
【請求項４】
前記機体は蓋及び、蓋の下表面に下向き垂直に数本のプレートを延伸し、中央部分の二枚のプレートの上にピックアップローラーセット軸穴を設け、該ピックアップローラーセットの骨組みの軸は、該ピックアップローラーセット軸穴の中に設置することを特徴とする請求項3記載の自動紙送り器トランスミッション機構。
【請求項５】
前記蓋のプレートの中央部分の二枚のプレートの上に、従車軸穴を設け、給紙従車は該従車軸穴の中に設置することを特徴とする請求項4記載の自動紙送り器トランスミッション機構。
【考案の詳細な説明】
【技術分野】
【０００１】
本考案は紙送り機の構造に関し、特にプリンター、スキャナー、コピー機及びファックスなどのオフィス設備に使用される自動紙送り機トランスミッション機構の構造に関する。
【背景技術】
【０００２】
図1が示すのは、従来技術の自動紙送り機トランスミッション機構であり、ピックアップローラーセット100’及び給紙ローラーセット200’、動力装置300’を含む。ピックアップローラーセット100’の役割は、紙を取り込み、順次に紙送り機に入れる。給紙ローラーセット200’の役割は、ピックアップローラーセット100’から送られた紙を引き続きプリンター、スキャナー、コピー機及びファックスなどの機械に送り込み、紙の作業処理を行う。動力装置300'は主にモーター及び若干の歯車から組立てている。
【０００３】
ピックアップローラーセット100’はピックアップローラー110'及び分紙ローラー120’を含み、分紙ローラー120’とピックアップ伝動軸420’が連結する。ピックアップ伝動軸420’にピックアップ動力歯車410’を設置し、ピックアップ動力歯車410’と動力装置300’により動力が生まれ、ピックアップ動力歯車410’は給紙伝動軸420’を介し、ピックアップローラーセット100’に動力を伝える。
【０００４】
給紙ローラーセット200’は互いに組み合わせる給紙原車210’及び給紙従車220’を含み、給紙原車210’は給紙伝動軸520’に設置する。給紙伝動軸520’に給紙動力歯車510’を設置する。給紙動力歯車510’と動力装置300’により動力が生まれ、給紙動力歯車510’は給紙伝動軸520’を介し、給紙ローラーセット200’に動力を伝える。
【０００５】
上述の自動紙送り機トランスミッション機構は、ピックアップ伝動軸420’とピックアップ動力歯車410’及び、給紙伝動軸520’と給紙動力歯車510’の2セットの動力トランスミッション機構を介し、動力装置300から生じる動力をそれぞれ、ピックアップローラーセット100’及び給紙ローラーセット200’に送る。従来技術の自動紙送り機トランスミッション機構の構造は複雑であり、製造コストも高いため、改善する必要があった。
【特許文献１】特開２００１−３４１８６７号公報
【考案の開示】
【考案が解決しようとする課題】
【０００６】
本考案の目的は、従来技術の欠点を解決し、製造コストを下げるシンプル構造の自動紙送り機のトランスミッション機構を提供することを主な課題とする。
【課題を解決するための手段】
【０００７】
上述の目的を解決するために、本考案は自動紙送り機トランスミッション機構を提供するものである。機体、動力装置、給紙ローラーセット、給紙伝動軸、給紙動力歯車、ピックアップローラーセット、トランスミッションベルトを含む。動力装置は機体に設置し、モーター及び若干の歯車を具有する。給紙ローラーセットは機体に設置し、給紙ローラーセットは給紙原車及び給紙原車と組み合わせる給紙従車を含み、給紙従車は従車ジャーナルを具有する。給紙伝動軸は機体に設置し、該給紙伝動軸は上述の給紙原車と一緒に設置する。給紙伝動軸の末端に給紙動力歯車を設置し、給紙動力歯車と動力装置の一つの歯車と組み合わせる。ピックアップローラーセットは機体に設置し、ピックアップローラーセットは分紙ローラーを含み、該分紙ローラーは分紙ローラージャーナルを含む。トランスミッションベルトは給紙従車の従車ジャーナル及び分紙ローラーの分紙ローラージャーナルを通している。
【考案の効果】
【０００８】
本考案の分紙器は動力装置がピックアップローラーセット及び給紙ローラーセットに動力を伝える機構の中で、トランスミッションベルトは従来技術のピックアップ伝動軸及びピックアップ動力歯車で組み合わせた動力輸出機構の代用部品となるため、紙送り器のトランスミッション機構の部品が減少し、紙送り器トランスミッション機構の製造コストも低くなる。
【考案を実施するための最良の形態】
【０００９】
本考案による自動紙送り器トランスミッション機構の構造を明確に示すために図に沿って詳細な説明を行う。説明しやすくするために、本例では紙送り器の用紙カセットを上向きにし、紙送り器が用紙カセットから紙を取る時、紙の進む方向を前にしている。
【００１０】
図２が示すように、本考案の自動紙送り器トランスミッション機構は長方形の本体17を含み、本体17の前部中央部分に導紙レール16を設置している。本体17の上に導紙レール16を覆う蓋15を設置する。本考案の自動紙送り器トランスミッション機構の機体は主に本体17、蓋15及び導紙レール16によって組立てている。
【００１１】
図３が示すように、蓋15は長方形のトッププレート154を具有し、トッププレートの各縁より下向き垂直に延伸し、サイドプレート155を形成する。トッププレート154の下表面より下向き垂直に等間隔に並び、前後に延伸するプレート151を具有する。該プレート151の中央部分にある二つのプレート151の上に、給紙従車軸穴152及び二つのピックアップローラーセット軸穴153を設置する。
【００１２】
図４が示すように、導紙レール16の前部中央に、左右方向に貫通する給紙ローラー穴161を設置する。
【００１３】
図２及び図５が示すように、本体17の前部左側に動力装置300を固定し、動力装置300は固定台301を含み、固定台301の上にモーター302及び若干の歯車303を設置する。
【００１４】
本体17に給紙伝動軸520を設置し、給紙伝動軸520の一端に給紙動力歯車510を設ける。給紙伝動軸520の中央部分に給紙主動軸210を固定し、給紙動力ローラー510及び動力装置300の中の一つの歯車303と嵌合する。
【００１５】
図３〜図５が示すように、蓋12の従車軸穴152の中に給紙従車220を設置し、該給紙従車220は従車ジャーナル221を具有し、従車ジャーナル221の上にトランスミッションギア(図に未掲載)を設ける。給紙従車220は導紙レール16にある給紙ローラー穴161を介し、給紙原車210と互いに組み合わせる。給紙従車220は給紙原車210と組み合わせて、給紙ローラーセット200になる。
【００１６】
図２及び図５が示すように、蓋15のピックアップローラーセット軸穴153の中に、ピックアップローラーセット100を設置する。該ピックアップローラーセット100は分紙骨組み130、及びその上に設置するピックアップローラー110及び分紙ローラー120を含む。分紙ローラー120は分紙ローラージャーナル121を具有し、その上にトランスミッションギア(図に未掲載)を設ける。該分紙ローラージャーナル121及び給紙従車220の従車ジャーナル221にトランスミッションベルト18を通し、該トランスミッションベルト18は歯型のベルトである。ピックアップ骨組み130の左右両側に骨組みの軸140を設け、該軸140は分紙ローラー120と同じ軸を共有している。ピックアップローラーセット100は該骨組みの軸140を介し、蓋15のピックアップローラーセット軸穴153の中に設置する。骨組みの軸140と分紙ローラー120が同じ軸を共有する役割は、ピックアップローラーセット100がどのように回転しても、分紙ローラージャーナル121は従車ジャーナル221との間隔距離が変わらず、トランスミッションベルト18の締め具合も始終適切な強さになる。
【００１７】
ピックアップローラー110の一端に従動歯車150を固定し、分紙ローラー120の一端に主動歯車170を固定する。ピックアップ骨組み130の上に、主動歯車170及び、従動歯車150と嵌合するミッドギア160を固定する。
【００１８】
本考案の自動紙送り器トランスミッション機構は作動時、動力装置300が提供する動力は、給紙動力歯車510及び給紙伝動軸520を介し、給紙原車210及び給紙従車220に伝わることで、給紙ローラーセット200が回転する動力を得る。給紙従車220が回転する時、トランスミッションベルト18を介し、分紙ローラー120に動力を伝える。分紙ローラー120及び主動歯車170を通過し、ミッドギア160及び従動歯車150は動力をピックアップローラー110に動力を伝える。
【００１９】
本考案の自動紙送り器トランスミッション機構は動力装置300が作り出す動力をピックアップローラーセット100及び給紙ローラーセット200のトランスミッション機構に伝える。従来技術のピックアップ伝動軸及びピックアップ動力歯車の代わりにトランスミッションベルト18を設置することで、本考案の自動紙送り器トランスミッション機構の部品が減少し、それにより、本考案の自動紙送り器トランスミッション機構の製造コストも低くなる。
【図面の簡単な説明】
【００２０】
【図１】従来技術の自動紙送り機トランスミッション機構の立体図である。
【図２】本考案の自動紙送り機トランスミッションの俯瞰図であり、内部の構造をよりクリアに見えるよう、一部の断面図を表示している。
【図３】本考案の自動紙送り機トランスミッション機構蓋の立体図である。
【図４】本考案の自動紙送り機トランスミッション機構の導紙レールの立体図である。
【図５】本考案の自動紙送り機トランスミッション機構の、ピックアップローラーセット、給紙ローラー及び該トランスミッション機構の立体図である。
【符号の説明】
【００２１】
100’   ピックアップローラーセット
110’  ピックアップローラー
120’  分紙ローラー
200’  給紙ローラーセット
210’  給紙原車
220’  給紙従車
300’  動力装置
410’  ピックアップ動力歯車
420’  ピックアップ伝動軸
510’  給紙動力歯車
520’  給紙伝動軸
15 蓋
151 プレート
152 給紙従車軸穴
153 ピックアップローラーセット軸穴
154 トッププレート
155 サイドプレート
16  導紙レール
161 給紙ローラー穴
17  本体
18 トランスミッションベルト
100 ピックアップローラーセット
110 ピックアップローラー
120 分紙ローラー
121 分紙ローラージャーナル
130 ピックアップ骨組み
140骨組みの軸
150 従動歯車
160 ミッドギア
170 主動歯車
200 給紙ローラーセット
210 給紙原車
220 給紙従車
221 従車ジャーナル
300 動力装置
301 固定台
302 モーター
303 歯車
510 給紙動力歯車
520  給紙伝動軸
【図１】
0003137008.tif 000003
【図２】
0003137008.tif 000004
【図３】
0003137008.tif 000005
【図４】
0003137008.tif 000006
【図５】
0003137008.tif 000007